(57)【要約】【課題】机の天板上を均等に照明することのできる机上照明装置を提供すること。【解決手段】シェード１２内に備えられた光源ユニット２３、２４とを含む机上照明装置１０である。光源ユニット２３、２４は、シェード１２内において、左右方向中央部１５に対して左右両側にそれぞれ設けられている。各光源ユニット２３、２４は、左右方向に長手の基板２５、２６と、当該基板に配列された複数個のＬＥＤランプ２７とを有する。シェード１２内の左側に設けられた光源ユニット２３は、基板２５の右端の後辺位置から基板２５の左端の前辺位置へ向かって斜め直線状に複数個のＬＥＤランプ２７が等間隔に配列されている。シェード１２内の右側に設けられた光源ユニット２４は、基板２６の左端の後辺位置から基板２６の右端の前辺位置へ向かって斜め直線状に複数個のＬＥＤランプ２７が等間隔に配列されている。【選択図】図６
2015008037.tif 000002
【特許請求の範囲】
【請求項１】
机の天板の奥側上方に配置されるシェードと、シェード内に備えられた光源ユニットとを含む机上照明装置であって、
前記光源ユニットは、シェード内において、左右方向中央部に対して左右両側にそれぞれ設けられており、
各光源ユニットは、左右方向に長手の基板と、当該基板に配列された複数個のＬＥＤランプとを有し、
シェード内の左側に設けられた光源ユニットは、基板の右端の後辺位置から基板の左端の前辺位置へ向かって斜め直線状に複数個のＬＥＤランプが等間隔に配列されており、
シェード内の右側に設けられた光源ユニットは、基板の左端の後辺位置から基板の右端の前辺位置へ向かって斜め直線状に複数個のＬＥＤランプが等間隔に配列されていることを特徴とする、机上照明装置。
【請求項２】
前記ＬＥＤランプは、前後方向に見て、前方側と後方側の２列の斜め直線状の配列をなすように配置されていることを特徴とする、請求項１記載の机上照明装置。
【請求項３】
前記斜め直線状に配列された複数個のＬＥＤランプは、配置位置によって色の異なるＬＥＤランプが用いられており、
左右の光源ユニットにおいて、ＬＥＤランプの色は、左右対称となるように配列されていることを特徴とする、請求項１または２記載の机上照明装置。
【発明の詳細な説明】
【技術分野】
【０００１】
この発明は、机の上（机の天板の上）を照明するための机上照明装置に関する。特にこの発明は、学習机に好適な机上照明装置に関する。
【背景技術】
【０００２】
一般に「電気スタンド」と称される机上照明装置は、従来、蛍光灯によって照明を行う構成が主流であった（たとえば、特許文献１に、蛍光灯を光源とする電気スタンドの一例が示されている。）。
ところが、最近は、ＬＥＤが普及し、ＬＥＤランプを光源として用いるＬＥＤスタンドが種々提案されている（たとえば特許文献２に、ＬＥＤスタンドの一例が開示されている。）。
【先行技術文献】
【特許文献】
【０００３】
【特許文献１】特開２００６−２４４９２９号公報
【特許文献２】特開２０１０−１８２６６０号公報
【発明の概要】
【発明が解決しようとする課題】
【０００４】
近年提案されている種々のＬＥＤスタンドは、照明装置としては優れたものが多いが、机上照明装置として捉えた場合、改善すべき余地が少なからず存在する。
まず、机上照明装置の場合、机の天板の奥側上方に配置された照明装置が、机の上（机の天板上）を万遍なく均等に照明することが望まれる。
しかし、従来のＬＥＤスタンドでは、机の上を均等に照明するという意味では、十分な結果が得られていないという課題があった。
【０００５】
この発明は、このような背景のもとになされたもので、机の天板上を均等に照明することのできる机上照明装置を提供することを主たる目的とする。
【課題を解決するための手段】
【０００６】
請求項１記載の発明は、机の天板の奥側上方に配置されるシェードと、シェード内に備えられた光源ユニットとを含む机上照明装置であって、前記光源ユニットは、シェード内において、左右方向中央部に対して左右両側にそれぞれ設けられており、各光源ユニットは、左右方向に長手の基板と、当該基板に配列された複数個のＬＥＤランプとを有し、シェード内の左側に設けられた光源ユニットは、基板の右端の後辺位置から基板の左端の前辺位置へ向かって斜め直線状に複数個のＬＥＤランプが等間隔に配列されており、シェード内の右側に設けられた光源ユニットは、基板の左端の後辺位置から基板の右端の前辺位置へ向かって斜め直線状に複数個のＬＥＤランプが等間隔に配列されていることを特徴とする、机上照明装置である。
【０００７】
請求項２記載の発明は、前記ＬＥＤランプは、前後方向に見て、前方側と後方側の２列の斜め直線状の配列をなすように配置されていることを特徴とする、請求項１記載の机上照明装置である。
請求項３記載の発明は、前記斜め直線状に配列された複数個のＬＥＤランプは、配置位置によって色の異なるＬＥＤランプが用いられており、左右の光源ユニットにおいて、ＬＥＤランプの色は、左右対称となるように配列されていることを特徴とする、請求項１または２記載の机上照明装置である。
【発明の効果】
【０００８】
この発明によれば、机の天板上を均等に、万遍なく照明する優れた机上照明装置を提供することができる。
【図面の簡単な説明】
【０００９】
【図１】図１は、この発明の一実施形態に係る机上照明装置が学習机に取り付けられた状態を、学習机の正面側から見た概要図である。
【図２】図２は、この発明の一実施形態に係る机上照明装置のシェード部分の上面図である。
【図３】図３は、この発明の一実施形態に係る机上照明装置のシェード部分の下面図である。
【図４】図４は、この発明の一実施形態に係る机上照明装置のシェード内に設けられた左光源ユニットの下面図である。
【図５】図５は、この発明の一実施形態に係る机上照明装置のシェード内に設けられた右光源ユニットの下面図である。
【図６】図６は、この発明の一実施形態に係る机上照明装置のシェード部分の中央部および右ウイング部の内部構成を示す図である。
【図７】図７は、この発明の一実施形態に係る机上照明装置の照明分布図であり、（Ａ）はこの発明の一実施形態に係る机上照明装置による照明分布特性、（Ｂ）はこの発明の一実施形態と比較して測定した従来の直線型デスクスタンドによる照明分布特性である。
【発明を実施するための形態】
【００１０】
以下には、図面を参照して、この発明の一実施形態について具体的に説明をする。
図１は、この発明の一実施形態に係る机上照明装置１０が、学習机１に取り付けられた状態を、学習机１の正面側から見た概要図である。学習机１は、天板２の奥側に取り付けられた本棚３を有している。机上照明装置１０は、本棚３の左右方向中央部奥側に、支柱１１を用いて固定されている。
【００１１】
机上照明装置１０のシェード１２は、左右方向に長手の直線状をしており、左右両端部は後方に向かって湾曲する形状とされている。（図２を参照）
シェード１２の左右方向中央部の後方には連結部１３が設けられ、連結部１３を介してシェード１２は支柱１１と連結されている。また、シェード１２の左右方向中央部前方側には、取っ手（把手）１４がシェード１２と一体的に形成されている。取っ手１４に手を掛けて操作することにより、シェード１２は机１の天板２に対して水平に前後方向へスライド移動可能にされている。そして、天板２に対し、シェード１２を前後方向所定の位置に配置することができる。
【００１２】
図２は、この発明の一実施形態に係る机上照明装置１０のシェード１２部分の上面図であり、シェード１２内に配置された内部構成の一部が破線で示されている。図３は、この発明の一実施形態に係る机上照明装置１０のシェード１２部分の下面図であり、その内部に備えられた構成の一部が破線で表わされている。
図２および図３を参照して、シェード１２は、左右方向に延びる長手一直線状の形状で、左右方向中央部に中央ケース１５を有する。そして、中央ケース１５から左右両側へ、左ウイング１６および右ウイング１７がそれぞれ延び出ている。中央ケース１５、左ウイング１６および右ウイング１７は、樹脂製の一体成形品で構成されている。
【００１３】
中央ケース１５の前方側には、前述した取っ手１４が形成されている。中央ケース１５の後方側には、連結部１３が連結されていて、支柱１１の上方水平部に対して矢印Ａ１で示す前後方向に摺動可能に連結されている。
中央ケース１５内には電源基板１８が設けられている。左ウイング１６内には左ＬＥＤ基板１９が設けられ、右ウイング１７内には右ＬＥＤ基板２０が設けられている。
【００１４】
シェード１２は、その下面側が開放されており、下面側から電源基板１８、左ＬＥＤ基板１９および右ＬＥＤ基板２０が、たとえばビス等によってシェード１２内に取り付けられる。
そして、シェード１２の下面側は、たとえば透光性のある乳白のカバー部材２１で覆われる。
【００１５】
なお、カバー部材２１は、中央ケース１５の下面に取り付けるカバー部材と、左ウイング１６および右ウイング１７の下面に取り付けるカバー部材とが、それぞれ別部材で構成されていてもよいし、これらのカバー部材が一体成形品であってもよい。
図６は、この発明の一実施形態に係る机上照明装置１０のシェード１２の中央ケース１５および右ウイング１７を下面側から見た図であり、カバー部材２１が取り外された状態で示されている。この図６から、机上照明装置１０のシェード１２の内部構成を明確に理解することができる。
【００１６】
なお、図６において、２２は電源基板１８と右ＬＥＤ基板２０とを電気的に接続している配線である。
図４は、この発明の一実施形態に係る机上照明装置１０のシェード１２の左ウイング１６内に設けられる左光源ユニット２３の下面図である。また、図５は、この発明の一実施形態に係る机上照明装置１０のシェード１２の右ウイング１７内に設けられる右光源ユニット２４の下面図である。
【００１７】
図４および図５を参照して説明すると、左光源ユニット２３および右光源ユニット２４は、それぞれ、基板２５、２６と、基板２５、２６に配列された複数個のＬＥＤランプ２７とを有している。
左光源ユニット２３は、左ウイング１６内に設けられ、左右方向に長手の基板２５と、基板２５に配列された複数個のＬＥＤランプ２７とを有する。複数個のＬＥＤランプ２７は、基板２５の右端の後辺位置から基板２５の左端の前辺位置へ向かって、斜め直線状に等間隔に配列されている。ＬＥＤランプ２７の斜め直線状の配列ラインは、第１の配列ラインＬＬ１および第２の配列ラインＬＬ２の２ラインとなっていて、これら２つの配列ラインＬＬ１およびＬＬ２は、互いに平行で、一定の間隔Ｘを隔てており、かつ、左右方向に延びるラインに対して傾き角θ：θ＝１５〜２０°の傾斜を有するラインとされている。
【００１８】
なお、左電源ユニット２３の基板２５は、シェード１２に設けられた電源スイッチ（オン／オフスイッチ）２８との干渉を避けるために、下面視において、右手前側隅部に、小さな切欠２９が形成されている。
図５は、右光源ユニット２４の下面図である。右光源ユニット２４は、シェード１２の右ウイング１７内に設けられる。右光源ユニット２４は、  左右方向に長手の長方形状の基板２６と、当該基板２６に配列された複数個のＬＥＤランプ２７とを有する。複数個のＬＥＤランプ２７は、基板２６の左端の後辺位置から基板２６の右端の前辺位置へ向かって斜め直線状に延びる２本の傾斜ラインＲＬ１、ＲＬ２上に等間隔に配列されている。２本の傾斜ラインＲＬ１およびＲＬ２は、間隔Ｘをあけて平行に延びており、左右方向に延びるラインに対して傾き角θ：θ＝１５〜２０°の傾斜ラインとされている。
【００１９】
左光源ユニット２３および右光源ユニット２４は、シェード１２内において、中央ケース１５を中心に左右対称のＬＥＤランプ２７の配列構造を有している。すなわち、机上照明装置１０全体としてみると、光源としての複数個のＬＥＤランプ２７は、中央ケース１５を中心に左右対称に配置されていて、中央部寄りでは後方側（奥行側）にＬＥＤランプ２７が配置され、左右両側へ向かうに従ってＬＥＤランプ２７が前方側（手前側）に配置されるように、左右対称をなす斜め直線状の配置構造がとられている。
【００２０】
なお、この実施形態では、ＬＥＤランプ２７の各配列ラインにおいて、ＬＥＤランプ２７はそれぞれ９個配列され、左右の光源ユニット２３、２４においてそれぞれ２列のラインが構成されている例を説明した。
しかし、この構成に限定されるものではなく、左右のラインは、１列であってもよいし、３列以上であってもよい。
【００２１】
また、各ラインにおけるＬＥＤランプ２７の配列個数は、ライン毎に異なっていてもよい。要は、左右対称形状にＬＥＤランプ２７が配列されており、かつ、中央部から左右両側へ向かって、後方側（奥行側）から前方側（手前側）へとＬＥＤランプ２７が斜め方向に配列された構成であればよい。また、用いられる複数個のＬＥＤランプ２７は、互いに同色のＬＥＤランプ（たとえば白色ＬＥＤランプ）であってもよいし、一部のランプが異なる色のＬＥＤランプであってもよい。ＬＥＤランプ２７の色を異ならせることにより、より学習に適した照明を行う机上照明装置１０とすることができる。
【００２２】
図７は、この発明の一実施形態に係る机上照明装置１０の作用効果を説明するための照明分布図である。図７（Ａ）は、この発明の一実施形態に係る机上照明装置１０による照明分布特性を示しており、図７（Ｂ）は、従来の直線型デスクスタンドによる照明分布特性を示している。
図７における（Ａ）と（Ｂ）の照明分布特性の対比から明らかなように、この発明の一実施例に係る机上照明装置１０を用いると、天板２の隅々まで、特に天板２の前方側左右両隅部にまで照明光が行き渡っていることが理解できる。
【００２３】
また、天板２の中央部において、広範な範囲で十分な照明光が与えられており、学習に適した机上照明装置１０を提供できることが理解できる。
その他、特許請求の範囲に記載された事項の範囲で種々の設計変更を施すことが可能である。
【符号の説明】
【００２４】
１    学習机
２    天板
３    本棚
１０    机上照明装置
１１    支柱
１２    シェード
１３    連結部
１４    取っ手（把手）
１５    中央ケース
１６    左ウイング
１７    右ウイング
１８    電源基板
１９    左ＬＥＤ基板
２０    右ＬＥＤ基板
２１    カバー部材
２３    左電源ユニット
２４    右電源ユニット
２５、２６    基板
２７    ＬＥＤランプ
【図１】
2015008037.tif 000003
【図２】
2015008037.tif 000004
【図３】
2015008037.tif 000005
【図４】
2015008037.tif 000006
【図５】
2015008037.tif 000007
【図６】
2015008037.tif 000008
【図７】
2015008037.tif 000009